(57)【特許請求の範囲】
【請求項１】
墓誌本体の前後の垂直な止着面に、故人の戒名や享年、没年月日等の故人の情報を表示するための表示板を止着できるようになされており、
該墓誌本体には、前後の止着面で開口する止着孔が貫設されており、該止着孔は、中央の小径孔部の両側に段差面を介して大径孔部が同心に連設されてなり、
該止着孔に止着ボルトが挿通状態とされると共に、該止着ボルトの両側部分に螺合されたナットが前記段差面で支持された状態で締め付けられることによって該止着ボルトが前記墓誌本体に固定される如くなされており、
前記前後の止着面に、ボルト孔が上下に設けられた表示板を当接せしめ、該ボルト孔を挿通した前記止着ボルトの突出部分に止着ナットを螺合し締め付けることにより、該表示板を前記止着面に固定できることを特徴とする耐震性墓誌。
【請求項２】
墓誌本体の前後の止着面に、故人の戒名や享年、没年月日等の故人の情報を表示するための表示板を止着できるようになされており、
該墓誌本体には、前後の止着面で開口する止着孔が貫設されており、該止着孔は、中央の小径孔部の両側に段差面を介して大径孔部が同心に連設されてなり、
該止着孔に止着ボルトが挿通状態とされると共に、該止着ボルトの両側部分に螺合されたナットが前記段差面で支持された状態で締め付けられることによって該止着ボルトが前記墓誌本体に固定される如くなされており、
前記前後の止着面に、ボルト孔が上下に設けられた表示板を当接せしめ、頭部付きの止着ボルトのネジ軸を該ボルト孔に挿通させると共に、該ネジ軸を、前記止着ボルトの端部分に該止着ボルトの軸線に沿って設けられたネジ孔部に螺合し締め付けることによって、前記表示板を前記止着面に固定できることを特徴とする耐震性墓誌。
【請求項３】
前記止着ボルトは、両切りの中央ボルトの両端側部分の夫々を、長ナットの内側のネジ孔部に螺合すると共に、該長ナットの外側のネジ孔部に、両切りの繋ぎボルトの内側部分を螺合してなり、前記表示板の前記ボルト孔を挿通した該繋ぎボルトの突出部分に止着ナットを螺合し締め付けることにより、該表示板が前記止着面に固定できることを特徴とする請求項１記載の耐震性墓誌。
【請求項４】
前記止着ボルトは、両切りの中央ボルトの両端部分の夫々を、長ナットの内側のネジ孔部に螺合してなり、前記表示板の前記ボルト孔を挿通した前記ネジ軸を該長ナットの外側のネジ孔部に螺合し締め付けることにより、該表示板を前記止着面に止着できることを特徴とする請求項２記載の耐震性墓誌。
【発明の詳細な説明】
【技術分野】
【０００１】
本発明は、墓誌本体の前後の垂直な止着面に、故人の戒名や享年、没年月日等の故人の情報を表示するための表示板を止着できるようになされた耐震性墓誌に関するものである。
【背景技術】
【０００２】
耐震性を向上させた従来の墓誌の一例として、実用新案登録第３１４４３４４号公報（特許文献１）が開示する耐震性墓誌が提案されている。
【０００３】
該耐震性墓誌ａにあっては、故人の戒名や享年、没年月日等の文字を墓誌の表面に直接刻設するのではなく、図３１に示すように、これらが刻設された表示板ｂを墓誌本体ｃの表面ｅにボルト固定する構成を採用していた。そして該表示板ｂのボルト固定手段としては、墓誌本体ｃの表面ｅの所要部位にネジ嵌入孔ｆを設けると共に、該ネジ嵌入孔ｆにネジ軸ｇの一端側の部分ｈを接着剤ｊを介して埋設状態に固着し、該表面ｅから水平に突出したネジ軸部ｋを前記表示板ｃの上下端部分に貫設した孔ｍに挿通すると共に、該表示板ｂから突出したネジ軸部ｈに座金ｎを介してナットｐを螺合し締め付けることにより該表示板ｂを墓誌本体ｃに着脱可能に固定できるようになされていた。
【０００４】
そのため、多数のネジ嵌入孔ｆを精度良く形成することに多くの加工手間を要して製造コストの上昇を招く問題があった。又、表示板ｂを固定する際にナットｐを強く締め付けると、前記接着されている埋設部が抜ける恐れがあり、表示板ｂの取り付け状態が不安定化する恐れがあった。又、長期間の内にボルトが腐食した際に、これを交換しようとしても、基端部分が墓誌本体に接着剤を介して埋設されているため、ボルトを容易には分離できない場合があった。更に、墓誌本体ｃの表面からのボルトの突出長さが定まっているために、厚さの異なる表示板（例えば、比較的厚い表示板）に変更せんとしても、この厚さの変更に必ずしも応じられない問題もあった。
【先行技術文献】
【特許文献】
【０００５】
【特許文献１】実用新案登録第３１４４３４４号公報
【発明の開示】
【発明が解決しようとする課題】
【０００６】
本発明は、前記従来の問題点に鑑みて開発されたものであり、墓誌本体の前後の面を故人の情報を表示するために有効活用できると共に、表示板の固定状態が不安定化する恐れがなく、表示板の固定の面から耐震性向上を期し得る耐震性墓誌の提供を課題とするものである。
【課題を解決するための手段】
【０００７】
前記課題を解決するため本発明は以下の手段を採用する。
即ち本発明に係る耐震性墓誌の第１の態様は、墓誌本体の前後の止着面に、故人の戒名や享年、没年月日等の故人の情報を表示するための表示板を止着できるようになされており、該墓誌本体には、前後の止着面で開口する止着孔が貫設されており、該止着孔は、中央の小径孔部の両側に段差面を介して大径孔部が同心に連設されてなり、該止着孔に止着ボルトが挿通状態とされると共に、該止着ボルトの両側部分に螺合されたナットが前記段差面で支持された状態で締め付けられることによって該止着ボルトが前記墓誌本体に固定される如くなされており、前記前後の止着面に、ボルト孔が上下に設けられた表示板を当接せしめ、該ボルト孔を挿通した前記止着ボルトの突出部分に止着ナットを螺合し締め付けることにより、該表示板を前記止着面に固定できるようになされていることを特徴とするものである。
【０００８】
又、本発明に係る耐震性墓誌の第２の態様は、墓誌本体の前後の止着面に、故人の戒名や享年、没年月日等の故人の情報を表示するための表示板を止着できるようになされており、該墓誌本体には、前後の止着面で開口する止着孔が貫設されており、該止着孔は、中央の小径孔部の両側に段差面を介して大径孔部が同心に連設されてなり、該止着孔に止着ボルトが挿通状態とされると共に、該止着ボルトの両側部分に螺合されたナットが前記段差面で支持された状態で締め付けられることによって該止着ボルトが前記墓誌本体に固定される如くなされており、前記前後の止着面に、ボルト孔が上下に設けられた表示板を当接せしめ、頭部付きの止着ボルトのネジ軸を該ボルト孔に挿通させると共に、該ネジ軸を、前記止着ボルトの端部分に該止着ボルトの軸線に沿って設けられたネジ孔部に螺合し締め付けることによって、前記表示板を前記止着面に固定できるようになされていることを特徴とするものである。
【０００９】
本発明に係る耐震性墓誌の第３の態様は、前記第１の態様において、次の構成を具えるものである。即ち、前記止着ボルトは、両切りの中央ボルトの両端側部分の夫々を、長ナットの内側のネジ孔部に螺合すると共に、該長ナットの外側のネジ孔部に、両切りの繋ぎボルトの内側部分を螺合してなり、前記表示板の前記ボルト孔を挿通した該繋ぎボルトの突出部分に止着ナットを螺合し締め付けることにより、該表示板が前記止着面に固定できることを特徴とするものである。
【００１０】
本発明に係る耐震性墓誌の第４の態様は、前記第２の態様において、次の構成を具えるものである。即ち、前記止着ボルトは、両切りの中央ボルトの両端部分の夫々を、長ナットの内側のネジ孔部に螺合してなり、前記表示板の前記ボルト孔を挿通した前記ネジ軸を該長ナットの外側のネジ孔部に螺合し締め付けることにより、該表示板を前記止着面に止着できることを特徴とするものである。
【発明の効果】
【００１１】
本発明は以下の如き優れた効果を奏する。
本発明に係る耐震性墓誌は、墓誌本体に、前後の止着面で開口する止着孔を貫設すると共に、該止着孔は、中央の小径孔部の両側に段差面を介して大径孔部が同心に連設されたものとして構成し、該止着孔に止着ボルトを挿通状態とすると共に、該止着ボルトの両側部分に螺合されたナットを締め付けることによって該止着ボルトを墓誌本体に固定する構成を採用するときは、前記墓誌本体の前後の止着面で、前記表示板を安定状態で止着し得る止着部を構成できる。
【００１２】
従って特許文献１におけるように、表示板をネジ固定するためのネジ軸を墓誌本体に設けた凹部に挿入して接着しなければならないのとは異なり、１本の取付けボルトだけによって、墓誌本体の前後の面を故人の情報を表示するために有効活用できる。又、このように止着ボルトを用いて表示板を止着することとし、該止着ボルトは、その両側部分に螺合されたナットを締め付けることによって墓誌本体に固定するものであるため、ネジ軸を接着剤で墓誌本体に固定する特許文献１に係る耐震性墓誌とは異なり、ネジ軸が緩んで表示板の固定状態が不安定化する恐れがなく、表示板の固定の面から耐震性向上を期し得る。
【００１３】
又、このようにして止着ボルトを墓誌本体に固定するため、該止着ボルトが腐食した場合は、前記ナットを取り外すことにより、止着ボルトを前記止着孔から容易に分離できるため、止着ボルトの交換を容易に行なうことができる。
【００１４】
特に前記止着ボルトとして、両切りの中央ボルトの両端側部分の夫々を長ナットの内側のネジ孔部に螺合する構成を採用するときは、長ナットに対する前記繋ぎボルトのネジ込み量を調整すれば、前記表示板のボルト孔を挿通した該繋ぎボルトの該表示板の前面からの突出量を所要に設定できることから、表示板の板厚が異なる場合にも、該表示板を前記固定面に容易且つ確実に固定できることになる。
【００１５】
又、該長ナットの外側のネジ孔部に前記頭部付きのボルトのネジ軸を螺合する構成を採用するときは、該ネジ軸の該長ナットに対するねじ込み量を調整したり、或いは、所要長さのネジ軸を有する頭部付きの止着ボルトに変更することにより、同様に、表示板の板厚が異なる場合にも該表示板を前記止着面に容易且つ確実に固定できることになる。
【図面の簡単な説明】
【００１６】
【図１】本発明に係る耐震性墓誌を前側から見た斜視図である。
【図２】その後側から見た斜視図である。
【図３】墓誌本体を基礎に固定した状態を示す一部断面正面図である。
【図４】耐震性墓誌を分解して示す斜視図である。
【図５】支持台を示す平面図である。
【図６】墓誌本体と、その止着面に固定される表示板を示す斜視図である。
【図７】墓誌本体のネジ固定部を示す正面図である。
【図８】ネジ固定部を示す分解斜視図である。
【図９】ネジ固定部を構成する、垂直軸部の上端側部分をなすネジ軸部の突出状態を示す斜視図である。
【図１０】止着孔を示す斜視図と断面図である。
【図１１】止着孔に止着ボルトを固定した状態を示す断面図である。
【図１２】止着ボルトの構成を説明する分解斜視図である。
【図１３】墓誌本体の前後の止着面に表示板を止着した状態を示す断面図である。
【図１４】墓誌本体の前の止着面にのみ表示板を止着した状態を示す断面図である。
【図１５】ネジ固定部を筒状カバーで覆い隠した状態を示す断面図である。
【図１６】筒状カバーを支持台上に吊り下ろす作業工程を説明する説明図である。
【図１７】固定空所の他の態様を示す断面図である。
【図１８】頭部付きのボルトを用いて墓誌本体を基礎に固定した状態を示す一部断面正面図である。
【図１９】その固定部分の拡大断面図である。
【図２０】筒状カバーを支持台に載置する施工工程を説明する一部断面正面図である。
【図２１】その筒状カバーを支持台に載置した状態を示す一部断面正面図である。
【図２２】分割式の筒状カバーを示す斜視図である。
【図２３】分割式の筒状カバーの他の態様を示す斜視図である。
【図２４】分割式の筒状カバーのその他の態様を示す斜視図である。
【図２５】墓誌本体の止着面に表示板を止着する他の構成を説明する断面図である。
【図２６】その止着で用いる止着ボルトの構成を説明する分解斜視図である。
【図２７】墓誌本体に表示板を止着したその他の態様を示す断面図である。
【図２８】表示板が止着されない後の止着面におけるナットの締め付け状態を示す断面図である。
【図２９】表示板が止着されない後の止着面におけるナットの締め付け状態の他の態様を示す断面図である。
【図３０】従来の耐震性墓誌のその他の態様を示す正面図である。
【図３１】その耐震性墓誌における、墓誌本体に対する表示板の固定構造を説明する断面図である。
【発明を実施するための形態】
【実施例１】
【００１７】
図１〜３において本発明に係る耐震性墓誌１は、基礎２に固定される支持台３と、該支持台３に下部５がネジ固定される墓誌本体６と、該墓誌本体６の該下部５のネジ固定部７を覆い隠す筒状カバー９とを具えている。
【００１８】
前記支持台３は、図３〜５に示すように、御影石等の石材からなり、左右方向に延長する直方体状を呈しており、その上面１１の一点鎖線で囲んだ内側部分１２（図４〜５）には、前記墓誌本体６の下面１３が当接されると共に、該上面１１の二点鎖線で囲んだ外側部分１５（図４〜５）の、前記内側部分１２を除いた部分１６には、前記筒状カバー９の下面１７が当接される。本実施例においては、二点鎖線で囲んだ該外側部分は粗磨き加工が施されると共に、その外側部分は仕上げ磨き加工が施されている。
【００１９】
そして前記支持台３の前記内側部分１２の両側には、図３〜５に示すように、前記基礎２に固定された例えばＬ字状を呈する、例えばステンレス製のアンカー軸１９の垂直軸部２０を挿通させる挿通孔２１，２１が上下方向で貫設されている。又本実施例においては、該挿通孔２１，２１の上端２２，２２の夫々に、前記外側部分１５の範囲において、例えば十字状を呈する排水溝２３が連設されている。その溝幅は例えば２ｍｍに設定され、その溝深さは例えば３ｍｍに設定されている。
【００２０】
前記墓誌本体６は、図１〜４に示すように、例えば御影石等の石材からなり厚さが均一な矩形板状を呈する。該墓誌本体６の主要部の寸法を例示すれば、左右方向長さが７００ｍｍで高さが７９０ｍｍ、厚さが８０ｍｍに設定されている。その下面１３は粗面に形成されており、その前後の止着面２６，２７は平滑な垂直面に形成され、該止着面２６，２７には、故人の戒名や享年、没年月日等の故人の情報を刻設等により表示するための表示板２９をネジ固定により止着できるようになされている。該表示板２９は、図６に示すように、本実施例においては、例えば御影石等の石材からなり上下に長い矩形板状を呈する薄板として形成されており、その上下にボルト孔３０，３０が設けられている。該表示板２９の各部の寸法を例示すれば、その左右方向の幅が６０ｍｍに設定されると共にその上下長さが６００ｍｍに設定され、その厚さは１０ｍｍに設定されている。
【００２１】
そして前記墓誌本体６の下部５には、本実施例においては図４、図７〜８に示すように、該下部５の両側に位置させて、該墓誌本体６をその厚さ方向（前後方向）に貫通する例えば円形状孔３１ａとしての固定空所３１が設けられると共に、該固定空所３１の下端底部３２に、前記垂直軸部２０を挿通させる縦孔３３が貫設されている。
【００２２】
本実施例においては図８〜９に示すように、前記固定空所３１の下端底部３２に、前後方向に稍長い、平面視で長方形状を呈する嵌合凹部３５が設けられると共に、該嵌合凹部３５に、前記垂直軸部２０を挿通させる透孔３６が中央部に設けられた矩形板状の固定支持板３７が、略密接状態に嵌め入れられる如くなされている。該固定支持板３７は、例えばステンレス製であり、その各部の寸法を例示すれば、長辺長さが６０ｍｍで短辺長さが３０ｍｍ、厚さが５ｍｍに設定されている。
【００２３】
かかる構成を有する墓誌本体６は、図３、図７に示すように、前記縦孔３３に前記垂直軸部２０が挿入された状態で、下面２５が前記支持台３の前記内側部分１２に載置される。図９は、前記嵌合凹部３５に前記固定支持板３７が嵌め入れられると共に、前記縦孔３３に挿入された垂直軸部２０が該透孔３６に挿通され、該垂直軸部２０の上端側部分をなすネジ軸部３９が該固定支持板３７の上面４０で突出した状態を示している。該固定支持板３７の上面４０は水平面を呈している。この状態で、図７に示すように、該ネジ軸部３９に座金３８を介して、ネジ固定具４１としての固定ナット４１ａを螺合し締め付けることにより、図３に示すように、該固定支持板３７を幅広の座金として機能させて、前記下部５を、前記基礎２に固定状態とされた前記支持台３にネジ固定できる。このように固定ナット４１ａを螺合し締め付ければ、前記アンカー軸１９を介して、墓誌本体６と支持台３とを同時に前記基礎２に固定できることになるのである。本実施例においては、前記固定空所３１が、前記墓誌本体６をその厚さ方向に貫通する例えば円形の貫通孔３１ａとして形成されているため、前記固定ナット４１ａを該固定空所３１内において、スパナ等の工具を用いて締め付ける際、該作業を、該貫通孔３１ａの前側や後側において容易に行うことができる。
【００２４】
該固定空所３１は、本実施例においては直径が７０ｍｍに設定されており、前記嵌合凹部３５の左右方向の幅が４０ｍｍに設定されると共に、該嵌合凹部３５の底面４２と前記墓誌本体６の下面２５との間の距離が５０ｍｍに設定されている。又、前記縦孔３３の径は１８ｍｍに設定されると共に前記垂直軸部２０の径は１６ｍｍに設定されている。
【００２５】
又前記墓誌本体６には、図３〜４に示すように、前記表示板２９を前記前後の止着面２６，２７にネジ止着するための止着孔４３が設けられている。該止着孔４３は図１０に示すように、中央の小径孔部４５の両側に段差面４６，４６を介して大径孔部４７，４７が同心に連設されてなる。かかる構成を有する止着孔４３の各部の寸法を例示すれば、前記小径孔部４５の径は１２ｍｍで、その前後方向の長さは１０ｍｍに、又、前記大径孔部４７の径は２５ｍｍでその前後方向の長さは３５ｍｍに設定されている。
【００２６】
そして図１１に示すように、該止着孔４３に止着ボルト（例えばステンレス製）４９が挿通状態とされる。該止着ボルト４９は、本実施例においては図１１〜１２に示すように、両切りの中央ボルト５１の両側部分５２，５２に長ナット５０ａ，５０ａとしてのナット５０，５０を螺合して構成されている。該止着ボルト４９は、より具体的には、前記中央ボルト５１の両側部分５２，５２を該長ナット５０ａ，５０ａの内側のネジ孔部５５，５５に螺合してなり、該長ナット５０ａ，５０ａを、例えば座金４８を介して、前記段差面４６，４６で支持された状態で締め付けることによって、該止着ボルト４９が前記墓誌本体６に固定される如くなされている。なお、該長ナット５０ａ，５０ａの外端５６，５６は前後の止着面２６，２７から突出しないようになされている。
【００２７】
前記構成を有する止着孔４３は、前記前後の止着面２６，２７に対する前記表示板２９の配置に合わせて所要に設定されるものである。本実施例においては、図１〜２に示すように、前記前後の止着面２６，２７に、戒名等の故人の情報が刻設される表示面２８を有した第１の表示板２９ａの８枚が、所要間隔を置いて、例えば１０ｍｍの間隔を置いて、平行状態に固定されるものとなされており、該前の止着面２６の右側に寄せて、上下長さが比較的短い、「墓誌」等の表題文字が表示面２８に刻設等される第２の表示板２９ｂが固定されるものとなされている。そして、該第１の表示板２９ａ、該第２の表示板２９ｂの夫々の上下に設けられた前記ボルト孔３０，３０（図６）に位置合わせして前記止着孔４３，４３が設けられている。
【００２８】
前記表示板２９を前記前後の止着面２６，２７に固定するに際しては、例えば図１３に示すような頭部付きの止着ボルト５９を用いて行うことができる。該頭部付きの止着ボルト５９は、表面６０が球面状を呈する頭部６１にネジ軸６２が突設されている。該表示板２９の後面５４を前後の止着面２６，２７に当接させた状態で、該頭部付きの止着ボルト５９の該ネジ軸６２を、座金６３を介して前記ボルト孔３０に挿通して後、前記長ナット５０ａの外側のネジ孔部６５に螺合し締め付けると、該表示板２９を前記止着面２６，２７に止着できる。該座金６３は、本実施例においては、前記大径孔部４７の径に略等しい外形を有する大径座金６６と、それよりも径の小さい小径座金６７の２枚を重ねて用いる。
【００２９】
前記墓誌本体６の前後の止着面２６，２７には、前記表示板２９が前記要領により止着されるのであるが、新設の墓誌にあっては、一般には、前の止着面２６には表示板２９が止着されるが後の止着面２７には未だ表示板が止着されない。表示板２９が止着されない後の止着面２７にあっては、図１４に示すように、前記座金６３（図１４においては大径座金６６）の全体又は一部分を前記止着孔４３の前記大径孔部４７に、前記長ナット５０ａの外端５６で支持された状態にして嵌め入れ、この状態で、前記頭部付きの止着ボルト５９の前記ネジ軸６２を、前記長ナット５０ａの外側のネジ孔部６５に螺合し締め付けておく。このように構成すれば、該座金６３によって前記大径孔部４７の開放端を極力閉蓋した状態となし得、該大径孔部４７内に雨水等が進入するのを極力防止できて好ましい。  
【００３０】
なお本実施例においては、隣り合う第１の表示板２９ａ，２９ａ間に１０ｍｍ程度の比較的大きな隙間７１（図１）を形成することとしているため、表示板に製造誤差が生じた場合にも該表示板を止着面に確実に止着できると共に、隣り合う表示板２９ａ，２９ａ間に比較的大きな隙間７１を形成できるため、該隙間７１の汚れを、ブラシ等を用いて容易に除去することができる。
【００３１】
又前記筒状カバー９は、図４に示すように、例えば御影石等の石材を以て一体物として構成された、左右方向に延長する角筒状を呈し、前記止着ボルト４９が取り外された状態にある前記墓誌本体６をその上端側７２からその下端側７３に向けて略密接した状態で挿通させるための例えば矩形状のカバー挿通孔７５が上下方向で貫設されている。又、該筒状カバー９の下面１７は粗面に形成されている。そして該筒状カバー９が、該カバー挿通孔７５に前記墓誌本体６を挿通させてその下面１７で前記支持台３に載置されることにより、図１〜３、図１５に示すように、前記固定空所３１におけるネジ固定部７が該筒状カバー９の前後の壁部７６，７６で覆い隠されるようになされている。
【００３２】
本実施例においては、該筒状カバー９の左右の側壁部７７，７７の外表面に手掛け用凹部７９，７９が設けられている。前記カバー挿通孔７５の短辺長さは、前記墓誌本体６の厚さが８０ｍｍであるのに対し８５ｍｍ程度に設定されると共に、その長辺長さは、前記墓誌本体６の左右方向長さが７００ｍｍであるのに対し７０５ｍｍ程度に設定されている。夫々５ｍｍ程度大きく設定しているのは、製作上の誤差を考慮してのものである。
【００３３】
かかる構成を有する筒状カバー９は、図１６に示すように、クレーンで吊り上げ、前記カバー挿通孔７５に墓誌本体６の上端側７２を挿入状態として後、該筒状カバー９を前記支持台３上に吊り下ろす。その後、作業者が前記左右の手掛け用凹部７９，７９に手を掛けて該筒状カバー９を所要に位置決めする。然る後、該筒状カバー９の下端縁と前記支持台の上面部との間に生ずる隙間８２（図１〜２）、及び、前記カバー挿通孔７５の内周縁部と前記墓誌本体６の表面との間に生ずる隙間８６（図１〜２）にコーキング材を充填する。
【００３４】
本実施例においては、前記のように、墓誌本体６の下面１３及び前記筒状カバー９の下面１７が粗面に形成されると共に、前記支持台３に設けられた前記挿通孔２１に十字状の排水溝２３（図４）が連設されている。かかることから、前記墓誌本体６の下面１３と前記支持台３の上面部（前記内側部分）１２との間や、前記筒状カバー９の下面１７と前記支持台３の前記除いた部分１６との間に雨水が浸入したときには、流入した雨水は、該粗面間に形成される流路を流れて前記排水溝２３に向けて移動し易い。このように移動した水は該排水溝２３を通して前記挿通孔２１内に順次流入するので、排水性が良好である。  
【００３５】
このようにして筒状カバー９を支持台３に載置して後、前記表示板２９を前記要領により墓誌本体６の前の止着面２６に止着する一方、後の止着面２７には、表示板は固定せず、前記座金６３を介して前記頭部付きの止着ボルト５９を螺合し締め付けておく。
【００３６】
このようにして止着された各表示板２９には、故人別に戒名や享年、没年月日等の故人の情報を刻設等により表示していく。未表示の表示板２９に新たな故人の情報を刻設等する場合は、前記上下の頭部付きの止着ボルト５９，５９を取り外すことによって該未表示の表示板２９を取り外し、これを作業所に持ち込んで戒名等の所要の刻設等を行って後、前記と同様の要領により、該表示板２９を前記前後の止着面２６，２７の所要部分に止着する。
【００３７】
前の止着面２６が例えば８人の故人によって埋まり、新たな故人の表示板を前の止着面２６に止着せんとする際は、例えば図１において左端に固定されている第１の表示板２９ａ１を取り外し、これを図２に示すように、後の止着面２７に、前記と同様にして止着する。そして、各表示板の位置を一つずつ左に移し、新たな故人の情報が表示された別途の第１の表示板２９を前の止着面２６の右端側に前記と同様にして止着する。
【００３８】
本発明においては、前記のように、止着ボルト４９を前記止着孔４３に挿通状態として、該止着ボルト４９の両端側部分に螺合されたナット５０，５０を締め付けることにより該止着ボルト４９を墓誌本体６に固定する構成を採用するため、墓誌本体６の前後の止着面２６，２７側の双方に、表示板２９の止着部を構成できる。かかることから、該前後の止着面２６，２７の双方において、１本の止着ボルト４９を用いて表示板２９をネジ固定できるのである。
【００３９】
本発明においては、特許文献１におけるように墓誌本体６の前の面だけが表示板の止着面となるのではなく、後の面をも表示板の止着のために活用できる構成を採用している。かかることから、特許文献１におけるように、古い表示板を処分することなくこれを後の止着面２７ａに移すことができるので、古い表示板であってもこれを順次残すことができる。
【００４０】
以上のような構成を有する耐震性墓誌１によるときは、地震時の振動によって墓誌本体６に加わる荷重を、基礎２に固定された１本のアンカー軸１９を介して、基礎２に固定状態の支持台３に直接的に伝達させることができるのであり、耐震性向上を期し得ることとなる。又、前記止着面２６，２７に対する表示板２９の止着は、前記止着孔４３に挿通され且つ両側部分に螺合されたナット５０，５０が締め付けられることによって墓誌本体６に固定されてなる止着ボルト４９を用いて行うことができるため、表示板２９を、地震時の振動によっても安定した固定状態で保持できることになる。このようなことの結果、本発明によるときは、全体としての耐震性に優れた墓誌を構成できることになる。
【００４１】
特に本実施例においては、墓誌本体６の下部５を前記支持台３にネジ固定する際、前記固定空所３１の下端底部３２に凹設された嵌合凹部３５に密接状態に嵌め入れた矩形板状を呈する固定支持板３７を介して、前記ネジ固定具４１としての固定ナット４１ａを、垂直軸部２０としての前記ネジ軸部３９に螺合し締め付ける構成を採用している。このように、一定の厚みがあり且つ広い当接面積を有する固定支持板３７を介して固定ナット４１ａを締め付けるため、墓誌本体６を支持台３に、より安定した状態でネジ固定できることになり、地震時における左右方向や前後方向等の揺れに対して、より優れた耐震性を発揮できることになる。又、前記固定支持板３７が前記嵌合凹部３５に略密接状態に嵌め入れられていることから、前記固定ナット４１ａを締め付ける際に該固定支持板３７が共回りするのを防止できる。
【００４２】
そして、前記下部５を前記支持台３にネジ固定するために用いられた前記固定空所３１は、その全体が、前記筒状カバー９の前後の壁部７６，７６で覆い隠された状態となるため、該固定空所３１及びその内部に納められている固定ナット４１ａや固定支持板３７、前記ネジ軸部３９等は目視不能の状態となる。従って、前記墓誌本体６の下部５を前記支持台３に対してネジ固定する手段を採用しているにも拘わらず、このネジ固定部分によって墓誌の外観が損なわれる恐れがなく、墓誌の見栄えを向上させ得ることとなる。
【００４３】
又、将来的な墓誌の移設も容易となる。即ち、特許文献１におけるように、一端側が墓誌本体の孔部に挿入されて接着により固定されたネジ軸を用いる場合とは異なり、前記頭部付きの止着ボルト５９を除去すれば前記表示板２９を前記墓誌本体６から容易に取り外すことができる。そして、前記止着ボルト４９を前記止着孔４３から取り外して後、前記筒状カバー９を吊り上げて除去し、その後、前記固定ナット４１ａを取り外せば、該墓誌本体６と前記支持台３とを前記基礎２から容易に取り外すことができる。かかることから、新たな設置場所において、基礎にアンカー軸を固定して後、前記と同様の要領によって墓誌１０を組み立てることができる。
【００４４】
又本実施例においては、前記止着ボルト４９を、両切りの中央ボルト５１の両側部分５２，５２の夫々を長ナット５０ａ，５０ａの内側のネジ孔部５５，５５に螺合すると共に、前記表示板２９のボルト孔３０を挿通した前記頭部付きの止着ボルト５９のネジ軸６２を該長ナット５０ａの外側のネジ孔部６５に螺合する構成を採用している。そのため、特許文献１におけるような、一端側が墓誌本体に埋設されてなるネジ軸を用いて表示板を墓誌本体に固定する場合とは異なり、厚さのより厚い表示板２９を墓誌本体６に固定せんとする場合は、該ネジ軸６２の該長ナット５０ａに対するねじ込み量を調整したり、或いは、頭部付きの止着ボルト５９のネジ軸６２を所要長さのものとする等によって容易に応ずることができる。
【実施例２】
【００４５】
本発明は、前記実施例で示したものに限定されるものでは決してなく、「特許請求の範囲」の記載内で種々の設計変更が可能であることはいうまでもない。その一例を挙げれば次のようである。
(1) 前記墓誌本体６に止着ボルト４９を介して表示板２９を止着する際、該止着ボルト４９は例えば図２５〜２６に示すように、両切りの中央ボルト５１の両側部分５２，５２の夫々を、ナット５０としての長ナット５０ａ，５０ａの内側の雌ネジ部５５，５５に螺合すると共に、該長ナット５０ａ，５０ａの外側のネジ孔６５，６５に、両切りの繋ぎボルト１０６，１０６の内側部分１０７，１０７を螺合して構成することもできる。該中央ボルト５１の両側部分５２，５２に螺合されたナット５０，５０が、前記段差面４６，４６で座金１０４を介して支持された状態で締め付けられることによって、該中央ボルト５１が墓誌本体６に固定される。そして、該両繋ぎボルト１０６，１０６の先側部分１０９，１０９が前記前後の止着面２６，２７から所要長さ突出した状態となるように、該繋ぎボルト１０６，１０６の前記長ナット５０ａ，５０ａに対する螺合長さが所要に設定されている。
【００４６】
このように構成する場合、前記構成を有する表示板２９を前記前後の止着面２６，２７に固定するに際しては、図２５に示すように、該表示板２９の後面５４を前記前後の止着面２６，２７に当接させた状態で、前記ボルト孔３０を挿通した前記繋ぎボルト１０６の、該表示板２９の前面１１０で突出した突出部分１１１に、座金６３を介して止着ナット（本実施例においては袋ナット）１１３を螺合し締め付ける。これにより、該表示板２９を前記前後の止着面２６，２７に止着できる。この場合、該長ナット５３に対する繋ぎボルト１０６の螺合量を調整すれば、前記突出部分１１１の突出量を所要に設定できることから、表示板２９の板厚が異なる場合にも該表示板２９を前記前後の止着面２６，２７に確実に固定できることになる。
【００４７】
前記止着ボルト４９は、図２７に示すように、１本の両切りのボルト１１５を用いて構成することもでき、前記止着孔４３は、中央の小径孔部４５の長さが比較的長く形成されると共に該小径孔部４５の両側に段差面４６，４６を介して、比較的長さの短い大径孔部４７，４７が同心に連設されている。そして該止着孔４３に前記１本の止着ボルト４９が挿通状態とされると共に、前記大径孔部４７に納まるナット５０，５０が該止着ボルト４９の両側部分に螺合され、前記段差面４６，４６で支持された状態で締め付けられることによって、該止着ボルト４９が前記墓誌本体６に固定される如くなされている。そして、前記墓誌本体６の前後の止着面２６，２７に前記表示板２９を固定するに際しては、例えば図２７に示すように、前記ボルト孔３０を挿通した前記止着ボルト４９の突出部分１１６に座金６３を介して止着ナット（例えば袋ナット）１１３を螺合し締め付けて行う。
【００４８】
図２８、図２９には、前の止着面２６にのみ表示板２９が固定される一方、後の止着面２７には、未だ表示板２９が固定されないで止着ナット１１３が螺合され締め付けられた状態が示されている。この場合、表示板２９を固定する際に用いることのできる座金６３が、前記ナット５０に当接された状態で止着ナット（例えば袋ナット）１１３が螺合され締め付けられている。後の止着面２７に表示板２９を固定するに際しては、該後の止着面２７からの繋ぎボルト１０の突出部分１１１の長さを所要に設定する等して、前記と同様にして表示板２９をネジ固定できる。
【００４９】
(2) 前記表示板２９は、前記のように石材を用いて構成されることの他、プラスチック製やステンレス製、防錆処理の施された鉄製、アルミニウム製、陶板製、セラミック板製とされる等、所要強度を具える素材を用いて構成できる。
【符号の説明】
【００５０】
１  耐震性石碑
２  基礎
３  支持台
５  支持台の下部
６  石碑本体
７  ネジ固定部
９  筒状カバー
１９  アンカー軸
２０  垂直軸部
２１  挿通孔
２６  止着面
２７  止着面
２９  表示板
３０  ボルト孔
３１  固定空所
３２  下端底部
３５  嵌合凹部
３６  透孔
３７  固定支持板
３９  ネジ軸部
４１  ネジ固定具
４１ａ  固定ナット
４３  止着孔
４５  小径孔部
４６  段差面
４７  大径孔部
４９  止着ボルト
５０  ナット
５９  頭部付きの止着ボルト
７５  カバー挿通孔
１００  筒状カバー片
１１３  止着ナット
【図１】
0005231594.tif 000002
【図２】
0005231594.tif 000003
【図３】
0005231594.tif 000004
【図４】
0005231594.tif 000005
【図５】
0005231594.tif 000006
【図６】
0005231594.tif 000007
【図７】
0005231594.tif 000008
【図８】
0005231594.tif 000009
【図９】
0005231594.tif 000010
【図１０】
0005231594.tif 000011
【図１１】
0005231594.tif 000012
【図１２】
0005231594.tif 000013
【図１３】
0005231594.tif 000014
【図１４】
0005231594.tif 000015
【図１５】
0005231594.tif 000016
【図１６】
0005231594.tif 000017
【図１７】
0005231594.tif 000018
【図１８】
0005231594.tif 000019
【図１９】
0005231594.tif 000020
【図２０】
0005231594.tif 000021
【図２１】
0005231594.tif 000022
【図２２】
0005231594.tif 000023
【図２３】
0005231594.tif 000024
【図２４】
0005231594.tif 000025
【図２５】
0005231594.tif 000026
【図２６】
0005231594.tif 000027
【図２７】
0005231594.tif 000028
【図２８】
0005231594.tif 000029
【図２９】
0005231594.tif 000030
【図３０】
0005231594.tif 000031
【図３１】
0005231594.tif 000032